(57)【要約】【課題】タッチ式スイッチを実装した筐体構造において、その筐体に実装されたタッチ式スイッチの反応領域を識別できるようにする【解決手段】目視し難い位置にタッチ式スイッチ６を実装した筐体構造であって、筐体３の外面に、当該筐体３に実装されたタッチ式スイッチ６の反応領域Ｌを識別するための識別形状８を施す。具体的には、識別形状８は、タッチ式スイッチ６の反応領域Ｌから所定の量を外した位置に二個所設けられている。そして、識別形状８は、ＵＶ照射で硬化する印刷、またはマスキング塗装による凸形状印刷である。また、タッチ式スイッチ６は、静電容量式スイッチで、筐体３の側面の内面に実装されている。【選択図】図２
2016111070.tif 000002
【特許請求の範囲】
【請求項１】
目視し難い位置にタッチ式スイッチを実装した筐体構造であって、
筐体の外面に、当該筐体に実装された前記タッチ式スイッチの反応領域を識別するための識別形状を施したことを特徴とする筐体構造。
【請求項２】
前記識別形状は、前記タッチ式スイッチの反応領域から所定の量を外した位置に複数個所設けられていることを特徴とする請求項１に記載の筐体構造。
【請求項３】
前記識別形状は、前記タッチ式スイッチの反応領域の上の位置に対応して設けられていることを特徴とする請求項１に記載の筐体構造。
【請求項４】
前記識別形状は、紫外線照射で硬化する印刷、またはマスキング塗装による凸形状であることを特徴とする請求項１から３のいずれか一項に記載の筐体構造。
【請求項５】
前記タッチ式スイッチは、表示用ディスプレイと一体型ではないことを特徴とする請求項１から４のいずれか一項に記載の筐体構造。
【請求項６】
前記タッチ式スイッチは、前記筐体の内面に実装されていることを特徴とする請求項１から５のいずれか一項に記載の筐体構造。
【請求項７】
前記タッチ式スイッチは、前記筐体の側面に実装されていることを特徴とする請求項１から６のいずれか一項に記載の筐体構造。
【請求項８】
前記タッチ式スイッチは、静電容量式スイッチ、または抵抗膜式スイッチであることを特徴とする請求項１から７のいずれか一項に記載の筐体構造。
【請求項９】
撮影レンズを備えた第１の筐体と、
前記第１の筐体に回転可能に結合され、表示部を備えた第２の筐体と、
前記第１の筐体及び第２の筐体を部分的に覆い、且つ前記第１の筐体に回転可能に結合された第３の筐体と、から構成される筐体構造であって、
前記タッチ式スイッチは前記第３の筐体の内面に実装されて、
前記識別形状は前記第３の筐体の外面に施されていることを特徴とする請求項１から８のいずれか一項に記載の筐体構造。
【請求項１０】
請求項１から８のいずれか一項に記載の筐体構造を備えることを特徴とする電子機器。
【請求項１１】
請求項１から９のいずれか一項に記載の筐体構造を備えることを特徴とする撮像機器。
【発明の詳細な説明】
【技術分野】
【０００１】
本発明は、タッチ式スイッチを実装した筐体構造と、その筐体構造を備える電子機器及び撮像機器に関する。
【背景技術】
【０００２】
電子機器において、筐体のフロントケースとリアケースの間に静電容量方式のタッチセンサ（スイッチ）を設けたものがある（例えば特許文献１・２参照）。
【先行技術文献】
【特許文献】
【０００３】
【特許文献１】特開２０１１−６６０６５号公報
【特許文献２】特開２０１１−８２１４０号公報
【発明の概要】
【発明が解決しようとする課題】
【０００４】
しかしながら、前記先行技術文献においては、筐体のフロントケースとリアケースの間にタッチセンサが実装されており、ユーザーが目視できないことにより、デザイン品位は向上する反面、タッチセンサの反応領域が判りにくいという問題がある。
【０００５】
本発明の課題は、タッチ式スイッチを実装した筐体構造において、その筐体に実装されたタッチ式スイッチの反応領域を識別できるようにすることである。
【課題を解決するための手段】
【０００６】
以上の課題を解決するため、本発明は、
目視し難い位置にタッチ式スイッチを実装した筐体構造であって、
筐体の外面に、当該筐体に実装された前記タッチ式スイッチの反応領域を識別するための識別形状を施したことを特徴とする。
【発明の効果】
【０００７】
本発明によれば、筐体に実装されたタッチ式スイッチの反応領域を識別することができる。
【図面の簡単な説明】
【０００８】
【図１】本発明を適用した電子機器の一実施形態の構成を示すもので、カメラの斜視図である。
【図２】図１のカメラのタッチ式スイッチを内蔵した筐体部分を透視状態で示した図である。
【図３】図２のタッチ式スイッチを内蔵した筐体部分の拡大平面図である。
【図４】図３の筐体部分の中央縦断面図である。
【図５】変形例として識別形状のバリエーションを示した平面図（ａ）〜（ｆ）である。
【発明を実施するための形態】
【０００９】
以下、図を参照して本発明を実施するための形態を詳細に説明する。
（実施形態）
図１及び図２は本発明を適用した電子機器の一実施形態の構成としてカメラを示すもので、１はレンズブロック、２は表示ブロック、３はグリップブロック、４はレンズ、５はシャッターボタン、６はタッチ式スイッチである。
【００１０】
図示のように、カメラの筐体は、レンズブロック１、表示ブロック２、グリップブロック３の三ブロックに分かれている。
そして、レンズ４を中央に備えるレンズブロック１に対して、図略の表示部（表示用ディスプレイ）を一面に備える表示ブロック２が、第１ヒンジ軸（図略）で接続されて、その第１ヒンジ軸を中心に回転可能となっている。
【００１１】
また、レンズブロック１に対して、レンズブロック１及び表示ブロック２を囲む形状の枠体によるグリップブロック３が、第１ヒンジ軸と直交する第２ヒンジ（図略）で接続されて、その第２ヒンジ軸を中心に回転可能となっている。このグリップブロック３にシャッターボタン５が設けられている。
そして、グリップブロック３にシャッターボタン５と並ぶようにタッチ式スイッチ６が実装されている。
なお、図２で分かるように、本実施形態におけるタッチ式スイッチ６は、スマートフォンのように表示用ディスプレイと一体型ではない。
【００１２】
図３は図２のタッチ式スイッチ６を内蔵した筐体部分の拡大平面で示したもので、グリップブロック３の内部に実装されるタッチ式スイッチ６は、フレキシブル基板（以下、ＦＰＣと呼ぶ）６ａに静電スイッチパッド６ｂを複数個（図示例では４個）並べたものである。
【００１３】
図４は図３の筐体部分の中央縦断面図であり、このタッチ式スイッチ６のＦＰＣ６ａを、グリップブロック３を構成する外側樹脂ケース３ａの略円弧状曲面部の内面形状に沿って両面テープ７で貼り付ける。
ここで、外側樹脂ケース３ａの略円弧状曲面部は、図示のように、厚みを均等に一体成形されている。
【００１４】
以上のタッチ式スイッチ６は、静電容量方式で、その周辺及び直近に金属が存在すると正確に動作しないため、金属から一定の距離だけ分離して実装する。
すなわち、図４に示すように、グリップブロック３の外側樹脂ケース３ａに合体される内側樹脂ケース３ｂの内面に沿って金属製の補強フレーム３ｃが設けられている。この補強フレーム３ｃは、略角形断面であり、その外側樹脂ケース３ａの略円弧状曲面部に対向する両角部分が面取りされている。この面取りにより、ＦＰＣ６ａの静電スイッチパッド６ｂが金属製の補強フレーム３ｃから略均等に離間されて、正確な動作が確保されている。
【００１５】
そして、グリップブロック３の外側樹脂ケース３ａの外表面には、その内部に実装したタッチ式スイッチ６の複数個（図示例では４個）の静電スイッチパッド６ｂの位置（反応領域Ｌ参照）に対応した識別形状８が設けられている。
すなわち、ユーザーが自撮りしながら行うタッチ式スイッチ６の操作時において、ユーザーはレンズブロック１と表示ブロック２の自分が映っているディスプレイに注力するため、グリップブロック３のタッチ式スイッチ６はブラインドタッチで操作することになる。
このために、ブラインドタッチでタッチ式スイッチ６の反応領域Ｌが判るように、ＵＶ照射で硬化する凸形状の印刷による識別形状８を施している。
【００１６】
ここで、タッチ式スイッチ６が実装されたグリップブロック３自体に凹凸形状を施すのではなく、タッチ式スイッチ６の反応領域Ｌの境界付近において、グリップブロック３の外側樹脂ケース３ａの外表面に、ＵＶ照射で硬化する印刷による識別形状８を施す。
図示例では、タッチ式スイッチ６の反応領域Ｌから所定の量を外した位置の二個所に、領域範囲を表す三角形状の識別形状８が設けられている。
この識別形状８は、例えば０．１〜０．３ｍｍほどの凸形状のため、ユーザーが指で触れた際に凸形状を認識することができ、タッチ式スイッチ６の反応領域を目視することなく認識が可能になる。
【００１７】
このような凸形状の印刷による識別形状８により、タッチ式スイッチ６の反応領域Ｌをユーザーが目視することなく指で触れて確認できる。
従って、タッチ式スイッチ６を操作する際のタッチ面が、実施形態のような曲面でも最適なタッチ位置へ指を誘導することもできる。
【００１８】
このように、識別形状８は印刷のため、筐体、すなわち、グリップブロック３自体または金型自体に物理的な凸形状を付ける場合とは異なり、タッチ式スイッチ６の有無の機種でグリップブロック３を流用できる。
そして、金型への制約も減る。
また、印刷による識別形状８のため、色を自由に変更できる。
さらに、識別形状８は、目立たせたり、あえて目立たせないなどデザインの自由度が増す。
【００１９】
以上、実施形態のカメラによれば、グリップブロック３の外側樹脂ケース３ａの略円弧状曲面部が厚みを均等に一体成形されていて、その外側樹脂ケース３ａの略円弧状曲面部の内側部分に沿わせて、ＦＰＣ６ａの静電スイッチパッド６ｂ実装部を湾曲状態で密着させてタッチ式スイッチ６を設けている。
従って、グリップブロック３の外側樹脂ケース３ａの略円弧状曲面部に沿って静電スイッチパッド６ｂを実装し、その静電スイッチパッド６ｂの電極面積を確保しながら、タッチ式スイッチ６の操作性を向上することができる。
【００２０】
そして、グリップブロック３の外面に施された二個の識別形状８により、グリップブロック３内に実装されたタッチ式スイッチ６の反応領域Ｌを識別することができる。
【００２１】
（変形例）
図５は識別形状８の変形例としてのバリエーション（ａ）〜（ｆ）を示したものである。
【００２２】
すなわち、図５（ａ）は、タッチ式スイッチ６の反応領域Ｌを表す三角形の角に対応する三つのドット形状による識別形状８を二個設けたものである。
【００２３】
図５（ｂ）は、タッチ式スイッチ６の反応領域Ｌを表す三角形状の二個の識別形状８と、その間の静電スイッチパッド６ｂの上に複数（図示例では三個）の点による補助形状９を設けたものである。
【００２４】
図５（ｃ）は、タッチ式スイッチ６の反応領域Ｌを表す丸形状の二個の識別形状８と、その間の静電スイッチパッド６ｂの上に一本の直線による補助形状９を設けたものである。
【００２５】
図５（ｄ）は、タッチ式スイッチ６の反応領域Ｌを表す丸形状による識別形状８を二個設けたものである。
【００２６】
図５（ｅ）は、タッチ式スイッチ６の反応領域Ｌを表す丸形状の二個の識別形状８と、その間の静電スイッチパッド６ｂの上に同じく丸形状による識別形状８を設けたものである。
【００２７】
図５（ｆ）は、タッチ式スイッチ６の反応領域Ｌを表す丸形状の二個の識別形状８と、その間の静電スイッチパッド６ｂの上に複数（図示例では三個）の点による補助形状９を設けたものである。
【００２８】
以上の変形例の他にも、識別形状８の印刷パターンは多数考えられる。
【００２９】
なお、タッチ式スイッチ６の反応領域は、通常の印刷で反応領域を外した箇所を凸印刷にすることにより、操作時の違和感をなくしながら、反応領域をより明確に目視することも可能である。
さらに、タッチ式スイッチ６の反応領域の上に凸印刷が有ってもよい。
また、印刷の代わりに、マスンキング塗装により、触れて認識させたい箇所に触感塗装を施すことで、同様の効果を得ることも可能である。
【００３０】
（他の変形例）
以上の実施形態においては、カメラとしたが、本発明はこれに限定されるものではなく、カメラを備える携帯電話など他の電子機器であってもよい。
また、実施形態では、２軸ヒンジで回動する筐体の構成としたが、１軸ヒンジで回動する筐体の構成でよく、あるいはヒンジの無い筐体でもよい。
さらに、実施形態では、タッチ式スイッチを静電容量式スイッチとしたが、抵抗膜式スイッチであってもよい。
また、タッチ式スイッチの構成及び実装構造、識別形状の表示形状とその位置と配置間隔及び個数等も任意であり、その他、具体的な細部構造等についても適宜に変更可能であることは勿論である。
前記実施形態においては、タッチ式スイッチは、筐体の外側樹脂ケースの内面に実装したが、タッチ式スイッチが筐体の外面に配置されていた場合においても、その位置が、例えば、筐体の側面であり、ユーザーが当該装置を手にした際に、目視し難い位置にあってもよい。
【００３１】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
目視し難い位置にタッチ式スイッチを実装した筐体構造であって、
筐体の外面に、当該筐体に実装された前記タッチ式スイッチの反応領域を識別するための識別形状を施したことを特徴とする筐体構造。
＜請求項２＞
前記識別形状は、前記タッチ式スイッチの反応領域から所定の量を外した位置に複数個所設けられていることを特徴とする請求項１に記載の筐体構造。
＜請求項３＞
前記識別形状は、前記タッチ式スイッチの反応領域の上の位置に対応して設けられていることを特徴とする請求項１に記載の筐体構造。
＜請求項４＞
前記識別形状は、紫外線照射で硬化する印刷、またはマスキング塗装による凸形状であることを特徴とする請求項１から３のいずれか一項に記載の筐体構造。
＜請求項５＞
前記タッチ式スイッチは、表示用ディスプレイと一体型ではないことを特徴とする請求項１から４のいずれか一項に記載の筐体構造。
＜請求項６＞
前記タッチ式スイッチは、前記筐体の内面に実装されていることを特徴とする請求項１から５のいずれか一項に記載の筐体構造。
＜請求項７＞
前記タッチ式スイッチは、前記筐体の側面に実装されていることを特徴とする請求項１から６のいずれか一項に記載の筐体構造。
＜請求項８＞
前記タッチ式スイッチは、静電容量式スイッチ、または抵抗膜式スイッチであることを特徴とする請求項１から７のいずれか一項に記載の筐体構造。
＜請求項９＞
撮影レンズを備えた第１の筐体と、
前記第１の筐体に回転可能に結合され、表示部を備えた第２の筐体と、
前記第１の筐体及び第２の筐体を部分的に覆い、且つ前記第１の筐体に回転可能に結合された第３の筐体と、から構成される筐体構造であって、
前記タッチ式スイッチは前記第３の筐体の内面に実装されて、
前記識別形状は前記第３の筐体の外面に施されていることを特徴とする請求項１から８のいずれか一項に記載の筐体構造。
＜請求項１０＞
請求項１から８のいずれか一項に記載の筐体構造を備えることを特徴とする電子機器。
＜請求項１１＞
請求項１から９のいずれか一項に記載の筐体構造を備えることを特徴とする撮像機器。
【符号の説明】
【００３２】
１  レンズブロック（筐体）
２  表示ブロック（筐体）
３  グリップブロック（筐体）
３ａ  外側樹脂ケース
３ｂ  内側樹脂ケース
３ｃ  補強フレーム
４  レンズ
５  シャッターボタン
６  タッチ式スイッチ
６ａ  フレキシブル基板
６ｂ  静電スイッチパッド
７  両面テープ
８  識別形状
９  補助形状
Ｌ  反応領域
【図１】
2016111070.tif 000003
【図２】
2016111070.tif 000004
【図３】
2016111070.tif 000005
【図４】
2016111070.tif 000006
【図５】
2016111070.tif 000007